(57)【特許請求の範囲】
【請求項１】
開口部を備えるケーシングと、該ケーシングの開口部の少なくとも一部を閉塞するパネルと、前記パネルに設けられたパネル開口孔から延出される延出体と、を備えるケーシング体であって、前記パネル開口孔の形状に対応した形状を有するとともに、前記延出体の周縁部を閉塞し、該延出体の径方向に分割される閉塞体を備え、前記パネル開口孔は、前記パネルを前記延出体に対し交差する方向に移動可能となるように長孔に形成されていることを特徴とするケーシング体。
【請求項２】
前記パネル開口孔は、パネル周縁部を切欠いた切欠孔であることを特徴とする請求項１に記載のケーシング体。
【請求項３】
前記パネル開口孔から延出される延出体は複数設けられることを特徴とする請求項１または２に記載のケーシング体。
【請求項４】
前記パネル開口孔は複数設けられ、該パネル開口孔はそれぞれ前記パネルの同じ側に延設されることを特徴とする請求項１ないし３のいずれかに記載のケーシング体。
【請求項５】
前記延出体は前記ケーシング内に設けられた熱交換器の配管からなる請求項１ないし４のいずれかに記載のケーシング体を備えることを特徴とする空気調和機。
【請求項６】
請求項１ないし５のいずれかに記載のケーシング体を用いたケーシング体開放方法であって、前記パネルを前記延出体に対し交差する方向に移動させ、前記ケーシング開口部を開放することを特徴とするケーシング体開放方法。
【発明の詳細な説明】
【技術分野】
【０００１】
本発明は、ケーシングに設けられたケーシング開口部を覆うパネルを着脱可能とするケーシング体、該ケーシング体を備えた空気調和機及び該ケーシング体を用いたケーシング体開放方法に関する。
【背景技術】
【０００２】
従来、図６に示されるように、フィルタユニット４０、冷温ユニット５０及びファンユニット６０を連結して構成した空気調和機３０が知られている。以下、空気調和機３０を構成するフィルタユニット４０、冷温ユニット５０及びファンユニット６０について説明する。
【０００３】
フィルタユニット４０は、通風路を構成するフィルタケーシング４１及び該フィルタケーシング４１内に取付けられたフィルタ４２を備え、吸気口４３より取り入れた空気をフィルタリングする。また、フィルタケーシング４１には、フィルタ４２の保守点検のために開閉扉４４が設けられている。
【０００４】
冷温ユニット５０は、通風路を構成するコイルケーシング５１及び該コイルケーシング５１内に取付けられた冷水・温水コイル５２を備え、フィルタユニット４０より取り入れた空気の温度を冷水・温水コイル５２により調整する。冷水・温水コイル５２は、冷温水を給水するための入口フランジ５３ａ及び入口管体５３ｂからなる入口管５３、該入口管５３に接続された入口ヘッダ５４、冷温水を排水するための出口フランジ５５ａ及び出口管体５５ｂからなる出口管５５、該出口管５５に接続される出口ヘッダ５６、入口ヘッダ５４と出口ヘッダ５６との間に多数のフィンチューブ５７（図８参照）が並列に接続されて構成されている。入口管５３から給水された冷温水は入口ヘッダ５４からフィンチューブ５７に分配され、該フィンチューブ５７内を循環した冷温水は出口ヘッダ５６内にて合流して出口管５５より排水される。そして、冷温水が流れるフィンチューブ５７の外側を流れる空気は所定の温度に調整される。なお、冷温水を給水するための入口管５３には、給水フランジ５８ａ及び給水管体５８ｂからなる給水管５８が接続され、冷温水の排水するための出口管５５には、排水フランジ５９ａ及び排水管体５９ｂからなる排水管５９が接続されている。
【０００５】
ファンユニット６０は、通風路を構成するファンケーシング６１及び該ファンケーシング６１内に取付けられたファン６２を備え、ファン６２はファンモータ６３により駆動され、該ファンは冷温ユニット５０により温度調整された空気を排気口６５から図示しないダクト内に送り出す。また、ファンケーシング６１には、ファン６２の保守点検のために開閉扉６４が設けられている。
【０００６】
上述のように、フィルタ４２、ファン６２及びファンモータ６３のメンテナンスは、開閉扉４４、６４からアクセスして行われる。また、冷水・温水コイル５２のフィンチューブ５７についても開閉扉４４、６４からアクセスしてメンテナンスを行うことができる。しかし、入口ヘッダ５４、出口ヘッダ５６には、フィンチューブ５７が密集して接続され、さらにフィンチューブ５７と入口ヘッダ５４、出口ヘッダ５６との接続部５２ａは、コイルケーシング５１との隙間が狭いため、メンテナンス、点検が困難となっている（図８（ａ）参照）。特に、フィンチューブ５７と入口ヘッダ５４、出口ヘッダ５６との接続はロー付け、溶接等により接続されているため、長年の使用によるロー付け等の劣化により、接続部からの水漏れが発生する頻度も高くなる傾向にある。そこで、フィンチューブ５７と入口ヘッダ５４、出口ヘッダ５６との接続部５２ａのメンテナンス、点検を行う際には、コイルケーシング５１の開口孔５１ａを覆うパネル７１、７１’を設け、該パネル７１に設けた孔７１ａ、７１ｂ及び該孔から延出される入口管５３、出口管５５の周縁を閉塞する蓋７２、７４を特許文献１に示されるような分割形状として、パネル７１をコイルケーシング５１から取外可能な構造としていた（図８参照）。
【先行技術文献】
【特許文献】
【０００７】
【特許文献１】特開平５−２５２６３５号公報（第２頁、図１及び図２）
【発明の概要】
【発明が解決しようとする課題】
【０００８】
しかしながら、図７、図８（ａ）に示されるようなコイルケーシング５１の開口孔５１ａを覆うパネル７１を取外すためには、給水管５８、入口管５３、冷水・温水コイル５２、出口管５５及び排水管５９から水を抜き、図８（ｂ）に示されるように、給水管５８及び入口管５３の周囲を覆う断熱材７３、出口管５５及び排水管５９の周囲を覆う断熱材７５の撤去、入口管５３に接続される給水管５８及び出口管５５に接続される排水管５９の分解、パネル７１から割蓋７２、７４を取外して、ようやくパネル７１をコイルケーシング５１から取外すことができる。また、メンテナンス、点検の終了後は、パネル７１をコイルケーシング５１への取付け、割蓋７２、７４のパネル７１への取付け、入口管５３と給水管５８及び出口管５５と排水管５９の組立て、給水管５８、入口管５３、出口管５５及び排水管５９の周囲の断熱材７３、７５の取付け、給水管５８、入口管５３、冷水・温水コイル５２、出口管５５及び排水管５９内への注水、空気抜きを行う必要があり、コイルケーシング５１からパネル７１を取外し、取付けるために多大な時間を要していた。さらに、空気調和機はデパート、オフィスビル等に据え付けられることが多く、そのメンテナンス、点検は、夜間、休日などの限られた時間内に完了しなければならないという制約がある。
【０００９】
本発明は、このような問題点に着目してなされたもので、空気調和機のケーシング内に設けられた熱交換器に接続された配管を分解せずにケーシングを開放することができるケーシング体、該ケーシング体を備えた空気調和機及び該ケーシング体を用いたケーシング体開放方法を提供することを目的とする。
【課題を解決するための手段】
【００１０】
前記課題を解決するために、本発明のケーシング体は、
開口部を備えるケーシングと、該ケーシングの開口部の少なくとも一部を閉塞するパネルと、前記パネルに設けられたパネル開口孔から延出される延出体と、を備えるケーシング体であって、前記パネル開口孔の形状に対応した形状を有するとともに、前記延出体の周縁部を閉塞し、該延出体の径方向に分割される閉塞体を備え、前記パネル開口孔は、前記パネルを前記延出体に対し交差する方向に移動可能となるように長孔に形成されていることを特徴としている。
この特徴によれば、閉塞体はパネルに取付けたとき、閉塞体は延出体の周縁部及びパネル開口孔を確実に閉塞でき、閉塞体は延出体の径方向に分割されるとともに、パネル開口孔は長孔に形成されているので、閉塞体及びパネルは延出体に干渉することなく延出体に対し交差する方向に移動でき、ケーシング開口部を開放することができる。
【００１２】
本発明のケーシング体は、
前記パネル開口孔は、パネル周縁部を切欠いた切欠孔であることを特徴としている。
この特徴によれば、前記延出部によりパネルの移動が規制されることなく、前記ケーシング開口部を最大限開放することができる。
【００１４】
本発明のケーシング体は、
前記パネル開口孔から延出される延出体は複数設けられることを特徴としている。
この特徴によれば、パネル開口孔から延出される延出体が複数設けられていても、前記パネル開口孔の長孔を利用して、パネルは延出体に干渉することなく移動できるようになり、ケーシング開口部を開放することができる。
【００１５】
本発明のケーシング体は、
前記パネル開口孔は複数設けられ、該パネル開口孔はそれぞれ前記パネルの同じ側に延設されることを特徴としている。
この特徴によれば、パネルの同じ側に延設される複数のパネル開口孔を利用して、パネルは一方向に移動させることで延出体に干渉することなく、ケーシング開口部を開放することができる。
【００１６】
本発明の空気調和機は、
前記延出体は前記ケーシング内に設けられた熱交換器の配管からなるケーシング体を備えることを特徴としている。
この特徴によれば、前記パネルは熱交換器の配管に干渉することなく移動でき、ケーシング開口部を開放することができる。
【００１７】
本発明のケーシング体開放方法は、
前記ケーシング体を用いたケーシング体開放方法であって、前記パネルを前記延出体に対し交差する方向に移動させ、前記ケーシング開口部を開放することを特徴としている。
この特徴によれば、前記パネルを前記延出体に対し交差する方向に移動させることにより、延出部に干渉することなく、前記ケーシング開口部を容易に開放できる。
【図面の簡単な説明】
【００１８】
【図１】本発明のケーシング体を示す斜視図である。
【図２】ケーシング開口部を覆うパネルを移動して、ケーシング開口部を開放した状態を示す斜視図である。
【図３】パネルを示す図である。
【図４】（ａ）は出口割蓋、（ｂ）は入口割蓋を示す図である。
【図５】（ａ）は図１のＡ−Ａ断面でパネルと入口割蓋及び出口割蓋とを固定するボルトを取外した状態を示す図、（ｂ）はパネルと入口割蓋及び出口割蓋との間に隙間を形成した状態を示す図、（ｃ）はパネルを移動した状態を示す図である。
【図６】（ａ）は空気調和機の平面図、（ｂ）は空気調和機の正面図である。
【図７】従来のケーシング体を示す斜視図である。
【図８】（ａ）は図７のＢ−Ｂ断面を示す図、（ｂ）はケーシング開口部を閉塞するパネルを取外した状態を示す図である。
【発明を実施するための形態】
【００１９】
本発明に係るケーシング体、該ケーシング体を備えた空気調和機及び該ケーシング体を用いたケーシング体開放方法を実施するための形態を図１から図６を参照して説明する。図１に示されるように、符号１０は、本発明のケーシング体１を備えた空気調和機の冷温ユニット１０である。該冷温ユニット１０と図６に示される冷温ユニット５０とは、ケーシング体１の構成が異なるのみで、冷水・温水コイル５２の構成は同一である。また、フィルタユニット４０及びファンユニット６０の構成は同一であるため、以下、フィルタユニット４０及びファンユニット６０に関する説明は省略する。
【００２０】
図１及び図６に示されるように、冷温ユニット１０は、ケーシング体１及び該ケーシング体１内に取付けられた冷水・温水コイル５２を備え、フィルタユニット４０より取り入れた空気の温度を冷水・温水コイル５２により調整する。冷水・温水コイル５２は、冷温水を給水するための入口フランジ５３ａ及び入口管体５３ｂからなる入口管５３、該入口管５３に接続された入口ヘッダ５４、冷温水の排水するための出口フランジ５５ａ及び出口管体５５ｂからなる出口管５５、該出口管５５に接続された出口ヘッダ５６、該入口ヘッダ５４と出口ヘッダ５６との間に多数のフィンチューブ５７（図８参照）が並列に接続され構成されている。なお、入口管５３には、給水フランジ５８ａ及び給水管体５８ｂからなる給水管５８、出口管５５には、排水フランジ５９ａ及び排水管体５９ｂからなる排水管５９が接続されている。なお、図２において、ケーシング開口部２ａを覆うパネル３を移動すると、ケーシング開口部２ａを通してケーシング体１内の冷水・温水コイルを目視できるが、図２では当該冷水・温水コイルを省略している。
【００２１】
本発明のケーシング体１は、ケーシング２と、延出体としての入口管５３及び給水管５８並びに出口管５５及び排水管５９と、閉塞体としての入口割蓋４及び出口割蓋５と、を備える。
【００２２】
図１、図２に示されるように、ケーシング２は、矩形の骨格構造を成す枠体２ｂと、該枠体２ｂの図示正面に構成される開口部２ａを閉塞するパネル３、３’と、枠体２ｂの他の面に同様に構成される開口部を閉塞するパネル３’’、３’’’と、を備える。なお、図１、図２においては、パネルは、２分割されているが、一体に構成してもよいし、３分割以上に構成してもよい。
【００２３】
ここで、パネル３の構成について説明する。図２、図３に示されるように、パネル３は、ケーシング２内部の図示しない冷水・温水コイルに臨む開口部２ａの一部を閉塞し、該パネル３には、入口管５３、出口管５５が挿通するパネル開口孔３ａ、３ｂが設けられている。また、パネル開口孔３ａ、３ｂは、パネル３を入口管５３及び出口管５５に対し交差する方向に移動可能となるように長孔に形成されるとともに、パネル周縁部３ｃ、３ｄを切欠いた切欠孔に形成されている。このようにパネル開口孔３ａ、３ｂを構成することで、パネル３を入口管５３及び出口管５５に対して交差する方向に移動させるとともに、パネル３の開口部２ａを最大限開放でき、ケーシング２からパネル３を撤去することができる。
【００２４】
また、図３に示されるように、パネル３は、外表面を構成する外板３ｅと、内表面を構成する内板３ｆと、外板３ｅ及び内板３ｆの間に充填される充填材３ｇ、充填材３ｇの外周部に配設され外板３ｅ及び内板３ｆに挟持される縁材３ｈと、を備える。さらに、パネル３は、該パネル３の周囲に設けた孔３ｍにボルトを挿通して、ケーシング２の枠体２ｂに設けられたネジ孔（図示せず）に固定されている。なお、ケーシング２を構成する他のパネル３’、３’’、３’’’（図１参照）もパネル３の構成と同様であり、充填材が断熱材として、ケーシング体１内を流れる空気の温度を所定の温度に保つ役目を果たしている。
【００２５】
つぎに、入口割蓋４、出口割蓋５について説明する。入口割蓋４（図４（ｂ））は、外表面を構成する外板４ｂと、該外板４ｂの裏側には断熱材４ｃが取付けられている。該外板４ｂ及び断熱材４ｃには、閉塞孔部４ａ及び孔４ｄが形成され、該孔４ｄによって入口管５３を断熱することができる。さらに、入口割蓋４はパネル開口孔３ａの長孔形状に対応した形状を有するので、入口割蓋４はパネル３と協働して入口管５３の周縁部及びパネル開口孔３ａを断熱状態で閉塞できる。
【００２６】
また、出口割蓋５（図４（ａ））は、外表面を構成する外板５ｂと、該外板５ｂの裏側には断熱材５ｃが取付けられている。該外板５ｂ及び断熱材５ｃには、閉塞孔部５ａ及び孔５ｄが形成され、該孔５ｄによって、出口管５５を断熱することができる。さらに、出口割蓋５はパネル開口孔３ｂの長孔形状に対応した形状を有するので、出口割蓋５はパネル３と協働して出口管５５の周縁部及びパネル開口孔３ｂを断熱状態で閉塞できる。
【００２７】
さらに、入口割蓋４、出口割蓋５は、閉塞孔部４ａ、５ａ、孔部４ｄ、５ｄの略中心を通るように分割面４ｅ、５ｅにて分割されているので、分割面４ｅ、５ｅを閉じるように入口割蓋４、出口割蓋５を入口管５３、出口管５５に交差する方向に移動させて、入口管５３、出口管５５の周縁部及びパネル開口孔３ａ、３ｂを閉塞するように組立てることができる。
【００２８】
なお、入口割蓋４、出口割蓋５には、図４（ａ）に示されるように、たとえば、出口割蓋５に閉塞孔部５ｆ及び分割面５ｇを設け、複数の配管を延出させることもできる。
【００２９】
また、図３、図４に示されるように、入口割蓋４は、該入口割蓋４の周囲に設けた孔４ｋにボルトを挿通して、パネル３のネジ孔３ｋに固定され、出口割蓋５は、該出口割蓋５の周囲に設けた孔５ｍにボルトを挿通して、パネル３のネジ孔３ｍに固定されている。
【００３０】
つぎに、上述したケーシング体１を用いたパネル３の撤去方法、ケーシング２の開口部２ａの開放方法を図１、図２及び図５を参照して説明する。
【００３１】
パネル３をケーシング２に固定するボルト９２（図５（ａ））、入口割蓋４、出口割蓋５をパネル３に固定するボルト９１（図５（ａ））を取外す。つぎに、入口割蓋４、出口割蓋５をそれぞれ給水管５８及び排水管５９側に押して、断熱材７３、７５を圧縮し、入口割蓋４及び出口割蓋５とパネル３との間に隙間ｇを形成する（図５（ｂ））。続いて、パネル３を給水管５８及び排水管５９側へ移動し、さらに、入口管５３及び出口管５５に対し交差する方向に移動させ、入口管５３及び出口管５５に対しパネル周縁部３ｃ、３ｄ（図２）を通過させ、ケーシング２からパネル３を撤去する（図２、図５（ｃ））。このように、冷水・温水コイル５２に接続された入口管５３及び給水管５８並びに出口管５５及び排水管５９、断熱材７３、７５を分解することなく、ケーシング２の開口部２ａを最大限開放できる。さらに、パネル３は、ケーシング２の壁面をガイドにして移動することもできるので、パネル３は入口割蓋４及び出口割蓋５との引っ掛かりを防いで、ケーシング２の開口部２ａを開放できる。なお、図５において、パネル３’を取り外した後に、パネル３を取外せば、隙間ｇを形成する工程を省略することができる。
【００３２】
本発明のケーシング体１においては、以下のような作用効果を奏する。
【００３３】
開口部２ａを備えるケーシング２と、該ケーシング２の開口部２ａの少なくとも一部を閉塞するパネル３と、パネル３に設けられたパネル開口孔３ａ、３ｂから延出される入口管５３及び出口管５５と、を備えるケーシング体１であって、パネル開口孔３ａ、３ｂは、パネル３を入口管５３及び出口管５５に対し交差する方向に移動可能となるように長孔に形成されているので、パネル３は入口管５３及び出口管５５に干渉することなく、パネル開口孔３ａ、３ｂの長孔を利用して、パネル３を入口管５３及び出口管５５に対して交差する方向に移動させてケーシング開口部２ａを開放できる。
【００３４】
パネル開口孔３ａ、３ｂの長孔形状に対応した形状を有する入口割蓋４及び出口割蓋５を備えるので、該入口割蓋４及び出口割蓋５がパネル３と協働して入口管５３及び出口管５５の周縁部及びパネル開口孔３ａ、３ｂを確実に閉塞できる。
【００３５】
パネル開口孔３ａ、３ｂは、パネル周縁部３ｃ、３ｄを切欠いた切欠孔に形成されているので、パネル３は入口管５３及び出口管５５を通過することができ、ケーシング２の開口部２ａを最大限開口でき、ケーシング２からパネル３を撤去することもできる。
【００３６】
入口割蓋４及び出口割蓋５は、入口管５３及び出口管５５の径方向に分割されているので、入口管５３、出口管５５に交差する方向に入口割蓋４及び出口割蓋５を移動させて、入口管５３、出口管５５の周縁部及びパネル開口孔３ａ、３ｂを閉塞することができる。
【００３７】
パネル開口孔３ａ、３ｂから延出される延出体は複数設けられていても、パネル開口孔の３ａ、３ｂを利用して、パネルは延出体に干渉することなく移動できるようになり、ケーシング開口部を開放することができる。
【００３８】
パネル開口孔３ａ、３ｂはパネルに対して同じ側に延設され、パネル周縁部３ｃ、３ｄを切欠いた切欠孔に形成されているので、該切欠孔を利用して、パネルは一方向に移動させることで延出体に干渉することなく、ケーシング開口部を開放することができる。
【００３９】
ケーシング体１は内部に冷水・温水コイル５２を備えた空気調和機の冷温ユニット５０に適用できるので、空気調和機を短時間で点検、メンテナンスできる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
前記実施例では、パネル開口孔３ａ、３ｂの長孔に形成し、パネル開口孔３ａ、３ｂの一端をパネル周縁部３ｃ、３ｄを切欠いていた。しかし、これに限らず、パネル開口孔３ａ、３ｂのパネル周縁部３ｃ、３ｄを開放しない長孔とし、該パネル開口孔３ａ、３ｂを利用して、パネル３を入口管５３及び出口管５５に対して交差する方向に移動させて、パネル３を撤去することなくケーシング２の開口部２ａを開放してもよい。
【００４２】
別の変形例として、パネル開口孔３ａ、３ｂを略正方形または縦長に形成し、パネル開口孔３ａ、３ｂのパネル周縁部３ｃ、３ｄを切欠き開放して、該周縁部３ｃ、３ｄに入口管５３及び出口管５５を通過させて、パネル３を撤去し、ケーシング２の開口部２ａを開放してもよい。
【００４３】
また、上記実施例では、パネル３のパネル開口孔３ａ、３ｂを横長の孔として、パネル３を横方向に移動させてケーシング２の開口部２ａを開放していたが、パネル３のパネル開口孔３ａ、３ｂを縦長の孔として、パネル３を上下方向に移動させてケーシング２の開口部２ａを開放するようにしてもよい。
【００４４】
さらに、上記実施例においては、延出体は冷水・温水コイル５２に接続される配管であったが、延出体は液体を流すための配管に限らず、気体を流すための配管であってもよい。上記実施例において、延出体としての入口管５３及び給水管５８並びに出口管５５及び排水管５９は、フランジ５３ａ、５８ａ、５５ａ、５９ａによって結合されているが、フランジ結合に限らず、ネジ結合、クランプ結合によるものでもよい。加えて、入口管５３及び給水管５８並びに出口管５５及び排水管５９の結合位置は、ケーシングの外側であったが、ケーシングの内部で結合されていてもよい。そして、入口管５３、出口管５５を設けず、給水管５８及び排水管５９を冷熱コイル５２に直接接続するものでもよい。
【００４５】
加えて、延出体は、電線、信号線、光ケーブル等の配線であってもよいし、または該配線を収容するための配管であってもよい。
【符号の説明】
【００４６】
１                ケーシング体
２                ケーシング
２ａ              開口部
３                パネル
３ａ、３ｂ        パネル開口孔
３ｃ、３ｄ        パネル周縁部
４                入口割蓋（閉塞体）
５                出口割蓋（閉塞体）
５２              冷水・温水コイル（熱交換器）
５３                入口管（延出体）
５５                出口管（延出体）
５８                給水管（延出体）
５９                排水管（延出体）
【図１】
0005874784.tif 000002
【図２】
0005874784.tif 000003
【図３】
0005874784.tif 000004
【図４】
0005874784.tif 000005
【図５】
0005874784.tif 000006
【図６】
0005874784.tif 000007
【図７】
0005874784.tif 000008
【図８】
0005874784.tif 000009